(57)【要約】【課題】映像がない時は透明なガラス窓の形態で活用し、映像現出時により精密かつ明るい映像を提供できる透明電光掲示板装置を提供する。【解決手段】薄い薄板で幅が狭く形成され、映像が水平方向にライン単位で形成された映像テープと、前記映像板ラインの下部に備えられ、四角い斜面で反射面を持つ第１プリズム棒と第２プリズム棒がそれぞれ成す斜面が相互結合し、前面映像と背面映像は直進透過し、斜面に垂直で入射する前記映像テープの光は９０度で直角反射する映像分割手段と、前記映像分割手段の下面部に備えられた遮断板と、前記遮断板と前記第１、第２プリズム棒と前記映像テープが順に上向きに積層して透明映像板を構成する。【選択図】図１
2018013784.tif 000002
【特許請求の範囲】
【請求項１】
透明電光掲示板装置において、
薄膜のテープのような形態で形成する映像テープ（１）；
直進入射する外光は透過し、直角で入射する映像は外部に反射する映像分割手段（４００）；
無光の黒色面で形成して前記映像テープ（１）の各映像を映像単位で遮断するように構成する遮断板（５）；を含む構造を
一つのバー（ｂａｒ）の形態で結合した映像ライン板（１００ａ）；
前記映像ライン板（１００ａ）を順に積層して全体を透明映像板（１００）で構成することにより
映像を提供する時は、前記透明映像板（１００）の外部に高鮮明度の映像を提供すると同時に、内部では外部を透視するようにし、
映像を提供しない時は、硝子のように内部及び外部の両方向が全て透視される透明映像板（１００）として作用することを特徴とする透明電光掲示板装置。
【請求項２】
映像テープ（１）の構造を、自体映像を自ら発光する映像構造で構成することを特徴とする請求項１に記載の透明電光掲示板装置。
【請求項３】
映像分割手段（４００）の構成を第１プリズム棒（３ａ）構造の斜面と第２プリズム棒（３ｂ）構造の斜面を相互結合して構成することを特徴とする請求項１に記載の透明電光掲示板装置。
【請求項４】
映像分割手段（４００）の構造を４５度の傾斜角で透過率対反射率の割合が２：８から８：２になる半透明鏡を映像分割板（４）で代替して構成することを特徴とする請求項１に記載の透明電光掲示板装置。
【請求項５】
透明電光掲示板装置において、
薄板でテープ形態で形成し、立体用左眼用映像（Ｒ）と立体用右眼用映像（Ｌ）で形成する映像テープ（１）；
前記左右眼用映像テープ（１）の前面にそれぞれ備えられる左右レンチキュラー（６ａ、６ｂ）；
前記左右レンチキュラー（６ａ、６ｂ）の前面に備え、前面映像と背面映像は直進して透過し、左右両方向で入射する前記映像テープ（１）の左右眼用映像（Ｒ、Ｌ）は、９０度で直角反射する映像分割手段（４００）：を含んで一つのラインで構成した映像ライン（１００ａ）；
前記映像ライン（１００ａ）を順に積層してグラスレス立体映像板（１０１）で構成することで
グラスレス立体映像を提供する時は、前記透明映像板（１００）の外部に高鮮明度のグラスレス立体映像を提供すると同時に、内部では外部を透視するようにし、
映像を提供しない時は、硝子のように内部及び外部の両方向が全て透視されるグラスレス立体透明映像板（１０１）として作用することを特徴とする透明電光掲示板装置。
【請求項６】
映像テープ（１）の構造を、自体映像を自ら発光する映像構造で構成することを特徴とする請求項５に記載の透明電光掲示板装置。
【請求項７】
映像分割手段（４００）の構成を第１プリズム棒（３ａ）構造の斜面と第２プリズム棒（３ｂ）構造の斜面を相互結合して構成することを特徴とする請求項５に記載の透明電光掲示板装置。
【請求項８】
映像分割手段（４００）の構造を４５度の傾斜角で透過率対反射率の割合が２：８から８：２になる半透明鏡を映像分割板（４）で代替して構成することを特徴とする請求項５に記載の透明電光掲示板装置。
【発明の詳細な説明】
【技術分野】
【０００１】
本発明は、透明電光掲示板に係り、観測者にとって透明なガラス窓のような透明構造で高光度映像又はグラスレス立体映像を視聴すると同時に、透明映像板の前面では背面の外部全景を、透明映像板の背面では透明映像板前面の外部全景を視聴することができる装置に関する。
【背景技術】
【０００２】
一般に、鮮明な映像条件は、映像自体の明るさが周りの明るさの２倍以上である時に可能である。
【０００３】
ＬＣＤまたはＯＬＥＤの背面バックライト構造を削除し、透明板構造で視聴する映像装置は公知されている。しかし、このような映像は、周りの照明を利用しなければならないので暗い所では視聴できず、自体発光機能があるとしても明るさ自体が暗い。
【０００４】
すなわち、透過率が５〜１５％と非常に低いので透明度が落ちるし、バックライトを使っても通常の明るさは２００〜３００ｃｄ／ｍ２水準で暗い。
【０００５】
一方、このような映像装置を設ける展示場所や営業場所の周りの照明は、通常１，０００ルクス（３３０ｃｄ／ｍ２）程度であるため、相対的に映像が暗い。
【０００６】
また、ＬＥＤ電光掲示板は、発光ダイオードとしてＧａ（ガリウム）、Ｐ（リン）、ＡＳ（ヒ素）を材料にして作られた半導体に電流が流れると、赤、緑、黄に発光し、それ自体を映像ピクセルで使用する時、明るさは最大１，０００ｃｄ／ｍ２以上に至る。
【０００７】
このような発光ダイオードモジュールは、発光面積が広い一方、その厚さは薄い構造で構成できる。
【０００８】
下記の特許文献１には、モジュール型電光掲示板の構造の場合、内部で離隔されたＬＥＤモジュールの間隔を通じて外部を視られる技術が公知されている。
【０００９】
下記の特許文献２には、グラスレス  ３Ｄ  ＬＥＤ構造の場合、複数のＬＥＤを一列に配置し、隣り合うストリップ基板は、映像の離隔間隔を置いて配置することにより、映像離隔間隔の間で裏面の背景が視られるようにしている。
【００１０】
このような従来の技術は、電光掲示板の構造を光源として利用しているが、図１４の（ａ）のように、裏面背景を同時に観測する目的で、ＬＥＤ板Ｄ１の間の映像離隔間隔Ｄ１が最小１：２ないし最大１：２０までに離隔されて、映像のイメージがまともに形成されず、映像が荒く、使わない時はＬＥＤ板Ｄ１自体が視野を遮るなどの拒否感によって実用化への障害要因となっていた。
【先行技術文献】
【特許文献】
【００１１】
【特許文献１】韓国特許出願１０−２０１４−００１３０７７号
【特許文献２】韓国特許出願１０−２０１４−００７１２８１号
【発明の概要】
【発明が解決しようとする課題】
【００１２】
前記のような問題点に鑑みて、硝子のような透明な映像装置にＬＥＤ電光掲示板、ＬＣＤ、ＯＬＥＤ映像など、自ら発光する映像ソースを映像手段として使用し、映像がない時は透明なガラス窓の形態で活用し、映像現出時は各映像のピクセルが成す映像間の映像離隔間隔を最小化して１：０．１から１：２まで最小化することで従来に比べて２倍以上、最大２００倍まで精密な映像と明るさを提供して精密化して従来に比べて最大６倍以上の明るい映像を提供し、前面では背面の背景を、背面では前面の背景を映像とともに視聴できる透明電光掲示板装置を提案する。
【課題を解決するための手段】
【００１３】
本発明は、図面に示したように、
薄板であって、テープ形態で形成し、立体用左眼用映像Ｒと立体用右眼用映像Ｌで形成する映像テープ１；
前記左、右眼用映像テープ１の前面にそれぞれ備えられる左右レンチキュラー６ａ、６ｂ；
前記左右レンチキュラー６ａ、６ｂの前面に備え、前面映像と背面映像は直進透過し、左右両方向で入射する前記映像テープ１の左右眼用映像Ｒ、Ｌは、９０度で直角反射する映像分割手段４００：を含んで一つのラインで構成した映像ライン１００ａと、
前記映像ライン１００ａを順に積層してグラスレス立体映像板１０１で構成することで
グラスレス立体映像を提供する時は前記透明映像板１００の外部に高鮮明度のグラスレス立体映像を提供すると同時に、内部では外部を透視できるようにし、
映像を提供しない時は硝子のように内部及び外部の両方向が全て透視されるグラスレス立体透明映像板１０１で作用することを特徴とする。
【００１４】
前記透明映像板１００とグラスレス立体映像板１０１の構成において、映像テープ１構造は自体映像を自ら発光する映像構造で構成する。映像分割手段４００の構成を第１プリズム棒３ａ構造の斜面と第２プリズム棒３ｂ構造の斜面を相互結合して構成するか、又は４５度の傾斜角で透過率対反射率の割合が２：８〜８：２になる半透明鏡を映像分割板４で代替して構成する。
【発明の効果】
【００１５】
本発明は、映像を提供しない時は、一般のガラス窓のように透明に作用し、映像を提供する時は、明るい照明下でも明るくて鮮明な映像を提供する。
また、グラスレス立体映像を提供する時も映像を提供しない時は一般ガラス窓のように透明に作用し、立体映像を提供する時は、明るい照明下でも明るくて鮮明な立体映像をグラスレスで提供する。
本発明の透明映像板自体が異物を含めない約５：５又は８：２−２：８の透過率と反射率を持つことで、従来液晶など異物が挿入されて透過率が低いＬＣＤまたはＯＬＥＤの映像に比べて２〜４倍の透過率と非常に鮮明な背面ないし前面の全景を観測することができ、透明映像板の映像もＬＥＤのように映像を自体発光光源にすることで、日光下でも視聴できる明るさの映像を提供する。
また、映像と映像の間の映像離隔間隔がほぼ密集した状態で提供されるので、従来に比べて最大２００倍の高解像度で映像を提供する。
透明映像板の前面では透明映像板の背面の外部全景を、透明映像板の背面では透明映像板の前面の外部全景を映像と同時に観測する。
したがって、このような本発明は、硝子のような透明な映像装置にＬＥＤ電光掲示板、ＬＣＤ、ＯＬＥＤ映像など、自ら発光する映像ソースを映像手段として使用し、映像がない時は透明なガラス窓の形態で活用し、映像現出時は各映像のピクセルが成す映像間の映像離隔間隔を最小化して従来に比べて２倍以上、最大２００倍まで精密な映像と明るさを提供して精密化することで、従来に比べて最大６倍以上の明るい映像を提供し、前面では背面背景を、背面では前面背景を映像とともに視聴できる効果がある。
【図面の簡単な説明】
【００１６】
【図１】（ａ）は本発明の構成実施例、（ｂ）は水平映像テープの拡大説明図。
【図２】本発明の使用例１の説明図。
【図３】本発明の使用例２の説明図。
【図４】映像テープの説明図。
【図５】映像テープ構成の説明図。
【図６】プリズム棒で構成した映像ライン構成の説明図。
【図７】映像分割板で構成した映像ライン構成の説明図。
【図８】グラスレス立体映像を映像ラインで分離する過程の説明図。
【図９】グラスレス立体映像をプリズム棒で構成した映像ライン構成の説明図。
【図１０】グラスレス立体映像を映像分割板で構成した映像ライン構成の説明図。
【図１１】グラスレス立体映像をプリズム棒で構成した映像ライン構成の実施例説明図。
【図１２】グラスレス立体映像を映像分割板で構成した映像ライン構成の実施例説明図。
【図１３】グラスレス立体映像構造で構成した透明映像板構造の説明図。
【図１４】従来電光掲示板の構造と本発明の比較説明図。
【発明を実施するための形態】
【００１７】
以下、添付の図面を参照にして本発明の望ましい実施例をもって詳しく説明する。
本発明は、薄膜のテープのような形態で形成する映像テープ１；
直進入射する外光は透過し、直角で入射する映像は外部に反射する映像分割手段４００；
無光の黒色面で形成して前記映像テープ１の各映像を映像単位で遮断するように構成する遮断板５；
を含む構造を
一つのバー（ｂａｒ）の形態で結合した映像ライン板１００ａ；
前記映像ライン板１００ａを順に積層して全体を透明映像板１００で構成することにより
映像を提供する時は、前記透明映像板１００の外部に高鮮明度の映像を提供すると同時に、内部では外部を透視するようにし、
映像を提供しない時は、硝子のように内部及び外部の両方向が全て透視される透明映像板１００として作用することを特徴とする。
【００１８】
本明細書及び請求範囲内で使われた用語や単語は、通常的や辞書的意味として解釈されてはならず、発明者は自分の発明を最善の方法で説明するために用語の概念を適宜定義することができるという原則に基づいて本発明の技術的思想に合う意味と概念として解釈されなければならない。
【００１９】
したがって、本明細書に記載した実施例と図面に図示された構成は、本発明の望ましい実施例に過ぎず、本発明の技術的思想を全て指すことではないので、出願時点でこれらに代わることのできる多様な均等物と変形例があってもよい。
【００２０】
図１の（ａ）によれば、本発明は多数のＣＰＵで構成された映像コントロールボックス１０とフレーム９の内部に硝子、ポリカーボネート、ＰＣ、アクリルのような透明な素材を水平または垂直方向に構成し、前面では背面の外部全景が、背面では前面の外部全景が透明に見える映像分割手段４００を構成する。
【００２１】
前記映像分割手段４００を具体的に実施すれば、透明映像板１００で構成しながら図１の（ｂ）のように第１プリズム棒３ａと第２プリズム棒３ｂで構成し、両正角は４５゜で構成して、中での残り正角は９０゜のプリズム棒で構成し、第１、第２プリズム棒３ａ、３ｂが持つ斜面は当接するように結合構成することで、全体的形状がバー（ｂａｒ）の形態になるように構成する。
【００２２】
このような構成は、図１の（ｂ）、図６の（ｂ）、図７の（ｂ）のように第１プリズム棒３ａの上面部で入射される光は、第１、第２プリズム３ａ、３ｂが当接する斜面で９０゜直角で反射し、第１プリズム棒３ａの前面で直進して入射する外部全景ｃの光は第２プリズム棒３ｂの斜面を直進透過し、背面で直進入射する外部全景ｂの光は第１プリズム棒３ａを直進透過するようになる。
【００２３】
すなわち、このようなプリズム棒３構造は、前面、背面で入射される光量の中で５：５の割合で透過し、残りは９０゜直角で屈折反射する、いわゆる光分割の機能をする。
【００２４】
このような光分割機能をする映像分割手段４００は、第１、２プリズム棒３ａ、３ｂ自体が硝子、ポリカーボネート、アクリル、ＰＣのように異物がない透明な単一素材なので、鮮明な映像を透過または反射屈折する。
【００２５】
したがって、本発明を店の陳列窓に設ける時、図２のように外部の行人は透明映像板１００の映像ａと透明映像板１００の背面の店の内部全景ｂを同時に観測可能であり、店の内部の顧客は透明映像板１００の映像ａと透明映像板１００の前面の外部全景を同時に観測できる。
【００２６】
また、図３のように、外部の行人は透明映像板１００の映像ａと透明映像板１００の背面に陳列された製品を同時に観測することができ、映像を見せない時は透明なガラス窓そのものに見える。
【００２７】
図４のように、映像テープ１の構造は薄い薄板で幅を狭く形成し、ＬＥＤを多層でテープ状で構成する。
【００２８】
図５のように、電光掲示板の全体映像２００は、映像テープ１を説明の便宜上映像番号１から８までの映像をＡラインと、映像番号６から１０までの映像をＢラインとする方式で順にライン化した後、これをそれぞれ分離して図１の（ｂ）、図６の（ｂ）、図７の（ｂ）のように映像テープ１で構成する。
【００２９】
図１の映像コントロールボックス１０は、図４のように映像テープ１が薄い薄板で幅が狭く形成され、両側端の前面に連結コネクターが形成されるし、多数のＣＰＵが直列信号で伝送するように形成され、前面の上部または下部にサブボードコネクターが映像コントロールボックス１０と繋がって映像をコントロールする。
【００３０】
映像テープ１は、図４のように発光面がある映像板の大きさ８と厚さ７の差が非常に大きい。ＬＥＤを例えば映像板８の大きさが８ｍｍ×８ｍｍである場合、映像板の厚さ７は１ｍｍになり、横の長さｗは画面の大きさによって異なる。
【００３１】
図６の（ａ）、（ｂ）と図７の（ａ）と（ｂ）によって本発明の実施例を挙げると次のとおりである。
【００３２】
１００インチの横画面対縦画面比１６：９である１００インチ画面の大きさは、横２，２１４ｍｍ×縦１，２４６ｍｍになる。
【００３３】
すなわち、映像テープ１の厚さ７は１ｍｍとし、幅８は３ｍｍとし、長さｗは２，２１４ｍｍとする。
【００３４】
映像分割手段４００の第１、２プリズム棒３ａ、３ｂの断面の大きさは、２面が３ｍｍである直角プリズムで構成し、長さは２，２１４ｍｍとする。
【００３５】
遮断板５は厚さは０．５とし、幅は３ｍｍとし、長さは２，２１４ｍｍとする。
【００３６】
前記第１、第２プリズム３ａ、３ｂは、相互斜面をかみ合わせて結合することで、外形は各面が３ｍｍの正四角形のバー（ｂａｒ）になる。
【００３７】
前記映像テープ１の３ｍｍ幅に前記第１プリズム３ａの３ｍｍ幅の一面に結合し、前記遮断板５は前記第２プリズム３ｂの３ｍｍ幅の一面に結合する。
【００３８】
前記のように結合した映像ライン板１の単位別総厚さは、映像テープ１の厚さ１ｍｍ＋第１、第２のプリズム３ａ、３ｂ棒の厚さ３ｍｍ＋遮断板５の厚さ０．５ｍｍで、総厚さは４．５ｍｍとなり、厚さは３ｍｍ、長さは２，２１４ｍｍとなる。
【００３９】
図５のように、映像の縦幅ｗを、１００インチの場合１，２４６ｍｍを３ｍｍ幅で分離したので、約４１５ラインになる。
【００４０】
すなわち、前記映像テープ１と、第１、第２プリズム３ａ、３ｂと、遮断板５が一つのバー（ｂａｒ）で結合された映像ライン板１００ａのサイズは、厚さ４．５ｍｍ、長さ１，２４６ｍｍ、幅 ３ｍｍとなる。
【００４１】
このような映像ライン板１００ａを４１５ラインで順に積層すれば、図１の（ａ）のような１００インチの透明映像板１００装置になる。
【００４２】
このような本発明の映像構造は、前記のような論理で、左右方向に垂直に積層して構成しても同じ論理になる。
【００４３】
また、図７の映像ライン板１００ａの構成も第１、第２プリズム棒３ａ、３ｂの構造の代わりに半透明鏡構造の映像分割板４の構造のみ異に構成されただけであって、同じ論理で適用される。
【００４４】
このように形成した映像テープ１は、図６の（ａ）、（ｂ）のように光源が下部方向に照射する方向で構成し、その下部に第１プリズム棒３ａの上面と結合し、第１プリズム棒３ａの斜面は内部の下向に形成した後、第１プリズム棒３ａの斜面と同じ傾斜角で第２プリズム３ｂの斜面と相互結合して密着させるし、第２プリズム棒３ｂの底面は遮断板５と連接するように構成する。
【００４５】
図７の（ａ）、（ｂ）構成は、第１、第２プリズム棒３ａ、３ｂの代わりに４５゜傾斜角で入射する光量の一部は透過し、一部は反射する映像分割板４で代替して構成したものであって、映像分割板４のみが異なって、全ての作用と構成論理は図６の（ａ）、（ｂ）の論理と同様である。
【００４６】
すなわち、硝子のような透明素材の斜面に入射光の一部は透過し、一部は反射する半透明鏡の機能を有する構造で映像分割板４を構成し、反射率と透過率は反比例するので、その反射率と透過率の割合は２：８〜８：２の割合にして設置場所の用途に応じて使用する。
【００４７】
すなわち、前記第１、第２プリズム棒３ａ、３ｂの結合による映像分割構造は、反射率と透過率が５：５と固定される。
【００４８】
本発明を屋外に設けて使用する際には、映像反射率が高くて映像が明るいとよいので、このときは反射率と透過率が８：２が勧められるし、屋内の明るい所では５：５、暗い屋内では２：８が勧められる。
【００４９】
遮断板５の表面は主に黒色の無光面と形成し、プリズム又は光分割板で構成された映像分割手段４００を透過した光量が戻って反射することで映像のコントラストを阻害することを防止する。
【００５０】
このような構成は、図１の（ａ）のフレーム９の内部構造に備えられるし、例えば、フレーム９の床から遮断板５、その上に第２プリズム棒３ｂ、その上に第１プリズム棒３ａ、その上段に映像テープ１の順に次々と垂直に積層して構成する。
【００５１】
前記手順を逆にして下向に順次に垂直で積層しても効果は同じであり、また、垂直映像ライン２ｂを水平に備え、映像コントロールボックス１０を通じて映像を水平映像に調整して使うことができる。
【００５２】
本発明は、図６の（ｂ）のように、映像テープ１の光源は第１、２プリズム棒３ａ、３ｂの斜面で９０゜で直角屈折して外部へ直進反射し、図２のように店の外部では透明映像板１００を通じて店内部の全景と透明映像板１００の映像ａを同時に視聴することができ、図３のように透明映像板１００を通じて映像ａとその裏面に陳列された製品など、店内部の全景を同時に観測することができる。
【００５３】
また、前記のような構成でＬＣＤまたはＯＬＥＤのバック光源をＬＥＤとする時、約１，０００ｃｄ／ｍ２以上明るい光で映像を提供することができる。
【００５４】
図８は透明映像板を通じてグラスレスで立体映像を見るために映像テープ１の構造を垂直方向に構成し、立体映像のための左眼用映像（１Ｌ）ＬＥＤと右眼用映像（１Ｒ）ＬＥＤを一つの垂直ラインにして構成する説明図である。
【００５５】
すなわち、図８の（ａ）のように、垂直映像ライン２ｂを薄い薄板で幅が狭く形成し、両側端の前面に連結コネクターが形成され、多数のＣＰＵが直列信号で伝送するように形成し、Ａラインを垂直に１Ｒ、１Ｌ、その下部には５Ｒ、５Ｌの順に構成し、Ｂラインは２Ｒ、２Ｌ、その下部には６Ｒ、６Ｌの順に垂直構成して全体映像２００を垂直方向に分離して垂直映像ライン２ｂを構成する。
【００５６】
図９のように、このような垂直映像ライン２ｂは透明映像板１００の上下、左右、深さの３方向の中で、深さ方向に図９のように配置し、その前面にそれぞれレンチキュラー６ａ、６ｂを構成し、レンチキュラー６ａ、６ｂの前面に第１プリズム棒３ａと第２プリズム棒３ｂを構成する。
【００５７】
前記構成は図１３のようにフレーム９の内部に前記の構成順に左右方向に順に構成する。
【００５８】
すなわち、フレーム９の内部に上下垂直方向に垂直映像ライン２ｂを厚さ７だけ前面に見られるようにし、その前面に左右レンチキュラー６ａ、６ｂ、その前面に第１プリズム棒３ａ及び第２プリズム棒３ｂの斜面に当接して左から右へ、または右から左の方向へと順次に構成する。
【００５９】
このような本発明の構造は、図９のように左右レンチキュラー６ａ、６ｂによって拡大された垂直映像ライン２ｂの立体映像を第１プリズム棒３ａの斜面で９０゜屈折した後、前面に反射して直進入射した外部全景と内部全景は直進して透過するので、外部ではグラスレスで立体映像を観測しながら裏面の内部全景ｂを同時に見られるし、内部では透明映像板１００を通じて外部全景を同時に見られる。
【００６０】
図１０は前記図９の構造と同じ論理であるが、第１、第２プリズム棒３ａ、３ｂの代りに一部は反射して一部は透過し、反射率と透過率の割合が２：８〜８：２で構成する映像分割板４で代替して構成されたことが異なる。
【００６１】
このような構造は、図１１、図１２のように、図８の垂直映像ライン２ｂの立体映像用左右眼用ＬＥＤ １Ｒ、１Ｌ構造をそれぞれ分離して左右対称構造で一つの映像構造を構成し、真ん中には遮断板５を構成し、これを一つの単位として順次に左から右への方向、または右から左への方向の水平方向で構成する。
【００６２】
図１２は映像分割装置として第１、２プリズム棒３ａ、３ｂを使い、図１２は映像分割板４で使用したこと以外は図１１と同一である。
【００６３】
したがって、このような構造は、図２の（ａ）、（ｂ）、図９と図１０のように、透明映像板の前面にいるヒトはグラスレスで立体映像と同時に透明映像板１００を通じてグラスレス立体映像と透明映像板１００の裏面の内部全景ｂを、透明映像板の背面にいるヒトは透明映像板１００映像と前面の外部全景ｃを同時に観測することができる。
【００６４】
また、このような本発明の構造は、前記映像テープ１を同じ論理で光源が結合されたＬＣＤまたはＯＬＥＤ、または全体映像をテープ形態で構成することができる全ての映像テープ１に適用することができ、図１ないし図１３のいずれの構成に適用することができる。
【００６５】
このような前記の第１、２プリズム棒３ａ、３ｂと映像分割板４の作用構造は、本発明の実施例に全て共通して適用される。
【００６６】
また、前記既存の透明ＬＣＤ、ＯＬＥＤの背景のバックライト構造を本発明の構造である光分割機能を持つ映像分割手段４００とＬＥＤを光源として結合して使うことができる。
【００６７】
この場合、ＬＣＤ、ＯＬＥＤの映像テープ１は、第１、２プリズム棒３ａ、３ｂと図７の（ｂ）のような映像分割板４の前面透明映像板１００の表面に構成することができる。
【００６８】
また、映像分割手段４００のプリズム棒３構造と映像分割板４の構造は、その傾斜面の方向を逆にする場合、映像の反射方向を逆にして映像視聴方向を外部から内部へと変えることができる。
【００６９】
このような本発明の構造は、発光度が高いＬＥＤをそのまま光源として使える長所があるので、従来ＬＣＤ、ＯＬＥＤの明るさ２５０ｃｄ／ｍ２に比べて１、０００ｃｄ／ｍ２と４倍以上の明るさで映像を提供することができる。
【００７０】
したがって、このような本発明はＬＥＤ、ＬＣＤ、ＯＬＥＤのように、図４及び図５のように薄い薄板で幅が狭く形成され、映像が水平、または垂直方向のライン単位で形成する映像テープ１で構成し、
図６の（ａ）と（ｂ）のように、前記透明テープの下部に備え、四角い斜面で反射面を持つ第１プリズム棒３ａと第２プリズム棒３ｂがそれぞれ成す斜面が相互結合して直進透過する外部映像と内部映像は直進透過し、斜面に垂直に入射する前記映像テープ１の光は９０度で直角に反射する映像分割手段４００で構成し、
前記映像分割手段４００の下面部に図１の（ａ）のように前記遮断板５と前記第１、第２プリズム棒３ａ、３ｂと前記映像テープ１を順に上向きまたは下向きに垂直に積層して透明映像板１００で構成することを特徴とし、
映像テープ１構造は、ＬＣＤまたはＯＬＥＤで代わって構成することができる。
【００７１】
前記映像分割手段４００の構造は、図７の（ａ）と（ｂ）、図１０、図１２のように、４５度傾斜角で５０％は透過し、５０％は反射する映像分割板４で代替して構成することができる。
【００７２】
グラスレス立体映像構造では、図８のように薄い薄板で幅が狭く形成され、図９のように左眼用映像Ｒと右眼用映像Ｌが垂直ラインで形成する垂直映像テープ２ｂと、前記左右眼用映像Ｒ、Ｌの前面にそれぞれ構成する左右レンチキュラー６ａ、６ｂと、
前記左右レンチキュラー６ａ、６ｂの前面に斜面で反射面を持つ第１プリズム棒３ａと第２プリズム棒３ｂがそれぞれ成す斜面が相互結合して、外部映像と内部映像は直進透過し、斜面に水平に入射する映像テープ１の光は９０度で直角反射するように構成し、
図１３のように前記映像テープ１と、左右レンチキュラー６ａ、６ｂと前記映像分割手段４００が順に左右方向のうち、一方向に直立して結合し、グラスレス透明立体映像板１０１で構成することを特徴とする。
【００７３】
したがって、このようなグラスレス立体映像構造は、水平映像テープ２ａを適用することができるし、このときは映像コントロールボックスを通じて映像を水平配列から垂直配列に調整すれば良い。
【００７４】
このように左右方向に構成する理由は、立体感を感知するヒトの目が左右水平方向に形成されているためである。
【００７５】
したがって、本発明の映像テープ１の構成要素は、ＬＣＤ、ＬＥＤ、マイクロＬＥＤ、ＯＬＥＤはもとより、映像自体を自ら発光するか、又は光源と結合して映像自体が発光源になる全ての映像装置を使うことができる。
【００７６】
図１０、図１２のように、映像分割手段４００の構造を４５度の傾斜角で５０％を基準にして、一部は透過して一部は使用場所によって反射する映像分割板４で代替して構成することができる。
【００７７】
すなわち、反射率対透過率を２：８〜８：２に構成して使うことができる。
【００７８】
したがってこのような装置は、図１４の（ａ）のように、従来の技術は電光掲示板の構造を光源として利用し、裏面の背景を同時に観測する目的としてＬＥＤ板Ｄ１の間の映像離隔間隔Ｄ１が１：２ないし１：２０で離隔されて映像イメージがまともに形成されないが、
本発明は、映像離隔間隔Ｄ１が１：０．１から１：１まで構成されるので、２倍から２００倍まで高解像度で提供し、使用しない時はＬＥＤ板Ｄ１自体が視野を遮るなどの拒否感によって実用化できていない一方、使わない時は硝子のような透明板で視野を遮ることなく、映像を示現する時は内部で外部を、外部で内部を映像、グラスレス立体映像を同時に視聴することができる。映像離隔間隔Ｄ１が２倍から２００倍となるので、明るさもまた２倍以上２００倍まで拡大することができる。したがって、このような本発明は、透明な映像ディスプレイ、オフィスの映像、ガラス窓、ゲーム、店の陳列窓、広告装置、レストランの映像、硝仕切りなど、多様な大きさと用途として使用することができる。
【符号の説明】
【００７９】
１        映像テープ
２        水平映像ライン
２ａ      水平映像ライン
２ｂ      垂直映像ライン
３        プリズム映像棒
３ａ      第１プリズム棒
３ｂ      第２プリズム棒
４        映像分割板
５        遮断板
６ａ      第１レンチキュラーライン
６ｂ      第２レンチキュラーライン
７        映像板の厚さ
８        映像板の大きさ
９        フレーム
９ａ      映像
９ａ      立体映像
９ｂ      前面全景
９ｃ      後面全景
１０      映像コントロールボックス
１００    透明映像板
１００ａ  映像ライン
１０１    グラスレス立体透明映像板
２００    全体映像
３００    店の陳列窓
４００    映像分割手段
【図１】
2018013784.tif 000003
【図２】
2018013784.tif 000004
【図３】
2018013784.tif 000005
【図４】
2018013784.tif 000006
【図５】
2018013784.tif 000007
【図６】
2018013784.tif 000008
【図７】
2018013784.tif 000009
【図８】
2018013784.tif 000010
【図９】
2018013784.tif 000011
【図１０】
2018013784.tif 000012
【図１１】
2018013784.tif 000013
【図１２】
2018013784.tif 000014
【図１３】
2018013784.tif 000015
【図１４】
2018013784.tif 000016